(57)【特許請求の範囲】
【請求項１】
彫刻刀の刃先を保護するための彫刻刀カバーであって、
彫刻刀の刃が着脱自在に挿入されて固定される開口を有する胴部と、
硬質の合成樹脂により形成され、前記胴部の前記開口の両側部分から伸びるように前記胴部に一体的に接続され、前記胴部に固定された状態の彫刻刀の刃の周囲を囲うように、前記胴部側の一対の根幹部とこれに続くＵ字形状の先端部とからなるループ状に形成されたループ部とを備え、
前記根幹部がなす平面は、前記胴部に固定された状態の彫刻刀の刃の刃先を含む刃先平面に対して、ほぼ同一であり、前記先端部がなす平面は、前記刃先平面に対して斜め上方方向に傾斜するように、前記ループ部は構成される、彫刻刀カバー。
【請求項２】
彫刻刀の刃先を保護するための彫刻刀カバーであって、
彫刻刀の刃が着脱自在に挿入されて固定される開口を有する胴部と、
軟質の合成樹脂により形成され、前記胴部の前記開口の両側部分から伸びるように前記胴部に一体的に接続され、前記胴部に固定された状態の彫刻刀の刃の周囲を囲うように、前記胴部側の一対の根幹部とこれに続くＵ字形状の先端部とからなるループ状に形成されたループ部とを備え、
前記根幹部がなす平面及び前記先端部がなす平面の各々は、前記胴部に固定された状態の彫刻刀の刃の刃先方向を含む刃先平面に対してほぼ同一となるように、前記ループ部は構成される、彫刻刀カバー。
【請求項３】
使用時に彫刻刀の刃先を保護するカバーを備えた彫刻刀であって、
前記カバーは、平面視Ｕ字形状を有し、その両端部が彫刻刀の柄の先端近傍に回動自在に取付けられ、彫刻刀の刃の方向に回転移動した際に、前記刃の周囲を囲うように位置すると共に、彫刻刀の柄の方向に回転移動した際に、その表面が前記柄の表面と均一となるように前記柄に形成された溝に嵌入される、彫刻刀。
【発明の詳細な説明】
【０００１】
【発明の属する技術分野】
この発明は彫刻刀に関し、特に木材等を彫って版画等を作成する場合に用いられる彫刻刀及び彫刻刀カバーに関するものである。
【０００２】
【従来の技術】
図１４は従来の彫刻刀の使用状況を示した図である。
【０００３】
図を参照して、彫刻刀３１は円筒形状の柄３２と、柄３２の先端面に挿入されて固定される刃３３とから構成される。刃３３は彫刻刀の種類によって種々の刃先形状を有している。
【０００４】
使用時には、図に示すように木材等の被彫刻物３８に対して刃３３を傾斜させて突出し、所望の彫り溝４１を形成することによってなされる。
【０００５】
【発明が解決しようとする課題】
上記のような従来の彫刻刀においては通常の使用ではまず安全性に問題はない。しかし、図１４に示されているように使用時において右手で彫刻刀３１の柄３２を保持し、左手４４等で被彫刻物３８を固定する場合がある。この場合、彫刻刀３１の突出しによって刃３３が不用意に前方に移動してしまい、左手４４を傷つける場合がある。特に、彫刻刀３１が小学生等の児童によって用いられるような場合、作業に熱中してしまい、左手４４をうっかり彫刻刀３１の前方においてしまう場合も多い。そしてこのような事故によって彫刻刀の安全性が問題となってしまう場合もある。
【０００６】
この発明は上記のような課題を解決するためになされたもので、彫刻刀の不用意な突出し使用にあっても、手、指等の身体を傷つける虞がない彫刻刀カバー及び彫刻刀を提供することを目的とする。
【０００９】
【課題を解決するための手段】
上記の目的を達成するために、請求項１記載の発明は、彫刻刀の刃先を保護するための彫刻刀カバーであって、彫刻刀の刃が着脱自在に挿入されて固定される開口を有する胴部と、硬質の合成樹脂により形成され、胴部の開口の両側部分から伸びるように胴部に一体的に接続され、胴部に固定された状態の彫刻刀の刃の周囲を囲うように、胴部側の一対の根幹部とこれに続くＵ字形状の先端部とからなるループ状に形成されたループ部とを備え、根幹部がなす平面は、胴部に固定された状態の彫刻刀の刃の刃先を含む刃先平面に対して、ほぼ同一であり、先端部がなす平面は、刃先平面に対して斜め上方方向に傾斜するように、ループ部は構成されるものである。
【００１０】
このように構成すると、彫刻刀の刃は着脱自在の彫刻刀カバーのループ部によって囲われる。また、ループ部の先端部は、彫刻刀の刃先方向に位置しない。
【００１１】
請求項２記載の発明は、彫刻刀の刃先を保護するための彫刻刀カバーであって、彫刻刀の刃が着脱自在に挿入されて固定される開口を有する胴部と、軟質の合成樹脂により形成され、胴部の開口の両側部分から伸びるように胴部に一体的に接続され、胴部に固定された状態の彫刻刀の刃の周囲を囲うように、胴部側の一対の根幹部とこれに続くＵ字形状の先端部とからなるループ状に形成されたループ部とを備え、根幹部がなす平面及び先端部がなす平面の各々は、胴部に固定された状態の彫刻刀の刃の刃先方向を含む刃先平面に対してほぼ同一となるように、ループ部は構成されるものである。
【００１２】
このように構成すると、彫刻刀の刃は着脱自在の彫刻刀カバーのループ部によって囲われる。また、ループ部の先端部は彫刻刀の刃先方向に位置するとともに外力によって撓みやすい。
【００１３】
請求項３記載の発明は、使用時に彫刻刀の刃先を保護するカバーを備えた彫刻刀であって、カバーは、平面視Ｕ字形状を有し、その両端部が彫刻刀の柄の先端近傍に回動自在に取付けられ、彫刻刀の刃の方向に回転移動した際に、刃の周囲を囲うように位置すると共に、彫刻刀の柄の方向に回転移動した際に、その表面が柄の表面と均一となるように柄に形成された溝に嵌入されるものである。
【００１４】
このように構成すると、カバーは不使用時に彫刻刀の柄に取付けられると共に柄と一体となり、使用時には彫刻刀の刃の方向に回転移動される。
【００１６】
【発明の効果】
以上説明したように、請求項１記載の発明は、彫刻刀の刃は着脱自在の彫刻刀カバーのループ部によって囲われるので、既存の彫刻刀にも容易に取付けることが可能となる。そして、簡易な装着で、作業中の彫刻刀の刃による不用意な突出しによって手、指等を傷つけることがない。更に、装着時には、胴部は彫刻刀の柄の先端面に当接するため、ループ部に加わった力は彫刻刀の柄によって支持されるためより安全性を向上する。更に、ループ部の先端部は彫刻刀の刃先方向に位置しないので、彫刻刀による作業を妨げることがない。そして、硬質性のループ部の先端部は容易に撓まないので、不用意な刃先の突出しからの手、指等の保護が安定する。又、ループ部の先端部を被彫刻物に接するようにしてこれをガイドとして作業すると、安定した深さの彫り溝を形成することができる。
【００１７】
請求項２記載の発明は、彫刻刀の刃は着脱自在の彫刻刀カバーのループ部によって囲われるので、既存の彫刻刀にも容易に取付けることが可能となる。そして、簡易な装着で、作業中の彫刻刀の刃による不用意な突出しによって手、指等を傷つけることがない。更に、装着時には、胴部は彫刻刀の柄の先端面に当接するため、ループ部に加わった力は彫刻刀の柄によって支持されるためより安全性を向上する。更に、ループ部の先端部は彫刻刀の刃先方向に位置するので、不使用時の彫刻刀の安全性を高めることができる。又、使用時にはループ部の先端部は被彫刻物にあたると容易に撓むため、彫刻刀の刃先の使用を邪魔することはない。
【００１８】
請求項３記載の発明は、カバーを紛失する虞がなく、又、彫刻刀の作業内容に応じてカバーの使用、不使用を簡単に変更できるため使い勝手が向上する。更に、不使用時にはカバーは柄と一体的となるので、カバーを柄に収納した状態での使用勝手が向上する。
【００１９】
【発明の実施の形態】
図１はこの発明の第１の実施の形態による彫刻刀カバーの外観形状を示す平面図であり、図２は図１のＩＩ−ＩＩラインから見た図であり、図３は図１のＩＩＩ−ＩＩＩラインの断面図であり、図４は図１のＩＶ−ＩＶラインから見た図である。
【００２０】
これらの図を参照して、彫刻刀カバー１６は例えばポリプロピレン等の不可撓性を有する硬質の合成樹脂により形成される。彫刻刀カバー１６は後述するように彫刻刀の刃を挿入してこれを固定するためのほぼ直方体形状の胴部１７と、胴部１７の両外側から平行に伸びる一対の根幹部１９ａ，根幹部１９ｂと根幹部１９ａ，根幹部１９ｂの各々に接続した平面視Ｕ字形状のループ部１８とから構成される。
【００２１】
図３に示されているように胴部１７の中央部には矩形断面形状の開口２６が形成されており、この断面の一辺には断面半円形状の突出片２７が形成されている。取付けるべき彫刻刀の刃は胴部１７の開口２６に挿入され、挿入された彫刻刀の刃は突出片２７と開口２６の他の辺とによって押さえつけられ胴部１７に固定される。
【００２２】
又、胴部１７の両側縁には複数の突起２４が所定間隔で設けられており、これは彫刻刀カバー１６を彫刻刀に脱着する際にすべり止めの機能を発揮する。更に、胴部１７の上面及び下面には取付けるべき彫刻刀の刃先の種類を示す刃先マーク２３が立体的に形成されている。この実施の形態においては、三角刀の刃を有する彫刻刀を装着対象としており、刃先マーク２３はこの三角刀の刃先形状を表している。この実施の形態では、刃先マーク２３が胴部１７の上下両面に形成されているが、いずれか一方面にのみ形成するようにしても良い。尚、上述のように胴部１７の開口２６及び突出片２７は三角刀の彫刻刀の刃を固定するために備えられた形状であり、彫刻刀の刃の種類が異なればこれらの断面形状も異なることになる。
【００２３】
ループ部１８は、図２に示されているように根幹部１９ａ，根幹部１９ｂがなす平面を表すＸの面は、胴部１７の開口２６を介して挿入される彫刻刀の刃の刃先方向を含む平面とほぼ同一である。一方、ループ部１８の先端部２０がなす平面、すなわち図２におけるＹで示す平面はＸで示す平面に対して斜め上方方向に傾いている。すなわち、胴部１７に取付けられた彫刻刀の刃の軸方向に対して先端部２０がなす平面は斜め上方に向かい、これによって図４で示した方向から見た場合、開口２６を介して挿入された彫刻刀の刃（図示せず）はその軸方向において先端部２０によって覆われない関係になっている。
【００２４】
図５は図１から図４で示した彫刻刀カバー１６を彫刻刀に取付ける前の状態を示した斜視図であり、図６は彫刻刀カバー１６を彫刻刀に装着した状態を示す斜視図である。
【００２５】
これらの図を参照して、彫刻刀３１は取っ手として用いられる柄３２と、柄３２の先端面３５にその一部が挿入されて固定される刃３３とからなっている。尚、この図においては彫刻刀カバー１６の装着対象となる彫刻刀３１の種類は三角刀の刃となっている。
【００２６】
彫刻刀カバー１６を彫刻刀３１に取付ける際には、胴部１７の開口２６を彫刻刀３１の刃３３に対向するように配置し、これらの軸方向を整列させた状態で彫刻刀３１の刃３３を彫刻刀カバー１６の開口２６に挿入させる。そして、図６に示すように、彫刻刀カバー１６の胴部１７の彫刻刀３１側の面が彫刻刀３１の先端面３５に当接する位置まで刃３３を開口２６に挿入する。
【００２７】
このとき上述したように、開口２６に形成されている突出片２７の形状によって刃３３はその内面が押さえつけられ、刃３３の軸方向に対する直行方向に対してぶれることなく安定して開口２６内に固定される。これによって図６に示されたような状態に、彫刻刀カバー１６は安定して彫刻刀３１に取付けられることになる。彫刻刀カバー１６の彫刻刀３１への取付けが完了した状態においては、彫刻刀３１の刃３３はその先端の斜め上方部がループ部１８の先端部２０によって囲われた状態となる。
【００２８】
図７はこの発明の第１の実施の形態による彫刻刀カバーを彫刻刀に装着した場合の使用状態を示した図である。
【００２９】
図を参照して、彫刻刀カバー１６のループ部１８を構成する先端部２０がなす平面は、上述のように彫刻刀３１の刃３３の刃先方向が含まれる平面に対して斜め上方方向に位置している。従って、刃３３の先端は彫刻刀カバー１６の先端部２０によって囲われず、その状態で木材等の被彫刻物３８に対して彫り溝４１を容易に形成することができる。又、この状態を彫刻刀カバー１６の上方部から見ると、彫刻刀３１の刃３３はループ部１８によって覆われることなくそのまま目視することができる。このため彫刻刀カバー１６を装着していても、それを装着しない通常の使用状態のように彫刻刀３１を自在に使用することができる。
【００３０】
又、使用時にはループ部１８の底面２２全体を被彫刻物３８の上面に接触させてこれをガイドとすると、一定の深さの彫り溝４１を容易に形成することができ使い勝手が良い。
【００３１】
次に、従来例で問題となった彫刻刀３１の使用時における不用意な突出しについて説明する。
【００３２】
本実施の形態において彫刻刀３１の柄３２を右手でつかみ、被彫刻物３８を左手４４によって押さえつけた状態を想定する。この場合、左手４４の方向には、彫刻刀カバー１６のループ部１８を構成する先端部２０が位置することになる。この先端部２０は、彫刻刀３１の刃３３から見れば前方に位置することになる。従って、作業時における彫刻刀３１の不用意な刃３３の突出しが生じても、左手４４には彫刻刀カバー１６の先端部２０がまず接触することになる。彫刻刀カバー１６のループ部１８は上述のようにＵ字形状のループ形状となっているため全体的に丸みを帯びて左手４４を傷つける虞はない。
【００３３】
左手４４への接触が生じると左手４４からの反力が彫刻刀カバー１６に伝達されるが、彫刻刀カバー１６は硬質性の合成樹脂より形成されているため、ほとんど変形することなくその力は胴部１７に伝達されることになる。胴部１７は彫刻刀３１の先端面３５に当接した状態で装着されているため、左手４４からの反力は彫刻刀３１の先端面３５の面に伝達されることになる。この反力は彫刻刀３１の突出し方向に対して逆方向に働くため、それ以上の刃３３の突出し力を低減させるように働くことになる。これによって、彫刻刀３１の不用意な突出し使用による左手４４等の怪我を確実に防止することができる。あるいは、彫刻刀カバー１６のループ部１８の先端部２０が左手４４に接触すると、ループ部１８は左手４４と被彫刻物３８の上面との間に滑り込むように移動する。この場合も彫刻刀３１の刃３３の先端が左手４４に接触する虞はない。
【００３４】
図８はこの発明の第２の実施の形態による彫刻刀カバーの平面図であり、図９は図８のＩＸ−ＩＸラインから見た図である。
【００３５】
これらの図を参照して、この実施の形態による彫刻刀カバー１６は例えばポリエチレン等の可撓性を有する軟質性の合成樹脂により形成される。取付けるべき彫刻刀の刃が挿入される胴部１７の形状は先の第１の実施の形態によるものとほぼ同一である。
【００３６】
この実施の形態においては、ループ部１８の形状が先の第１の実施の形態によるものと異なっている。すなわち、ループ部１８は胴部１７の両端側からやや末広がりに伸びる一対の根幹部１９ａ，根幹部１９ｂと根幹部１９ａ，根幹部１９ｂの各々に接続され、開放部がやや狭まった平面視Ｕ字形状の先端部２０とから構成される。
【００３７】
図９に示されているように、根幹部１９ａ，根幹部１９ｂがなす平面と、先端部２０がなす平面とはほぼ同一である。すなわち、ループ部１８の先端部２０は先の第１の実施の形態とは異なり、胴部１７に挿入される彫刻刀の刃の刃先方向を含む平面とほぼ同一となっている。
【００３８】
図１０は図８及び図９で示した彫刻刀カバー１６を彫刻刀３１に装着した状態を示した斜視図である。
【００３９】
図を参照して、彫刻刀カバー１６の彫刻刀３１への装着手順は先の第１の実施の形態と同様である。装着された状態においては、図に示されているように彫刻刀３１の刃３３の軸方向すなわち刃先方向に、彫刻刀カバー１６のループ部１８を構成する先端部２０が位置することになる。従って、刃３３はその周囲のみならず刃３３の刃先方向に対しても、彫刻刀カバー１６のループ部１８によって保護されることになり、装着時の彫刻刀３１の刃３３に対する安全性をより高めることが可能となる。
【００４０】
図１１は図１０で示した彫刻刀カバー１６の装着時における彫刻刀３１の使用状態を示した図である。
【００４１】
図１１の（１）に示されているように、彫刻刀３１の使用前においては刃３３の刃先方向の延長上にループ部１８の先端部２０が位置することになる。従って、彫刻刀３１の刃３３を被彫刻物３８に対して所定の角度θで近づけると、まずループ部１８の先端部２０が被彫刻物３８の上面に当接することになる。
【００４２】
この状態で彫刻刀３１の刃３３を被彫刻物３８に更に近づけようと力を入れると、ループ部１８は軟質性の合成樹脂より形成されているため、図１１の（２）に示されているように被彫刻物３８からの反力によって矢印の方向に変形する。このようにループ部１８が変形するため、彫刻刀３１の刃３３を被彫刻物３８に当接させて所望の彫り溝４１を形成することが可能となる。彫刻刀３１の刃３３を押し進めると、ループ部１８の先端部２０の下面は、被彫刻物３８の上面に接触した状態で刃３３の移動とともに被彫刻物３８上を滑ることになる。この実施の形態においても彫刻刀カバー１６を上方から見れば、刃３３の先端を覆うものが何もないため、彫刻刀カバー１６によってその使用が何ら邪魔されるものではない。
【００４３】
このように使用時には刃３３の前方には、常時彫刻刀カバー１６の先端部２０が位置している。そのため、左手４４を刃３３の前方において彫刻刀３１の不用意な突出しが生じても、左手４４には先端部２０が接触し刃３３が直接あたる虞はない。又、左手４４への接触による先端部２０への反力は先の第１の実施の形態と同様に胴部１７を介して彫刻刀３１の先端面３５に伝達されるため、彫刻刀３１のそれ以上の突出しが安定的に阻止される。
【００４４】
尚、彫刻刀３１の被彫刻物３８に対する使用が終了すると、彫刻刀カバー１６の弾性復帰力によって図１１の（１）の状態にループ部１８は復帰することになる。これによって、彫刻刀３１の不使用時における安全な刃先の保護状態に戻ることになる。
【００４５】
図１２はこの発明の第３の実施の形態による彫刻刀の概略構造を示した図であり、図１３は図１２のＸＩＩＩ−ＸＩＩＩラインから見た図である。
【００４６】
これらの図を参照して、この実施の形態においては先の各実施の形態とは異なり彫刻刀の刃をカバーする彫刻刀カバーは、彫刻刀３１に対して脱着自在とするものではなく、彫刻刀３１の柄３２に常時取付けられているものである。
【００４７】
具体的には彫刻刀カバー１６は、一対の根幹部１９ａ，根幹部１９ｂとこれらに接続する先端部２０とからなる平面視Ｕ字形状のループ部１８のみによって構成されている。ループ部１８の根幹部１９ａ，根幹部１９ｂの端部の各々は軸４６ａ，軸４６ｂを介して彫刻刀３１の柄３２に回動自在に取付けられている。これによって彫刻刀カバー１６は二点鎖線で示されているように軸４６ａ，軸４６ｂを中心として移動自在となる。
【００４８】
尚、彫刻刀カバー１６の大きさは、図１３における使用時の二点鎖線で示されているように、彫刻刀３１の刃３３の周辺及び前方を囲うような大きさに形成されている。そして、彫刻刀カバー１６が柄３２に戻る際にその表面が柄３２の表面と均一となるように柄３２に彫刻刀カバーが嵌入される溝を形成するようにしておけば、彫刻刀カバー１６の柄３２への収納時における柄３２の使用勝手が向上する。
【００４９】
次に、この実施の形態における彫刻刀の使用について説明する。
【００５０】
使用時には彫刻刀カバー１６を柄３２から取外し先端部２０が刃３３の前方となるように回動させる。これによって彫刻刀カバー１６の先端部２０は、被彫刻物３８の上面に接した状態となる。そこで刃３３を被彫刻物３８に対して使用し彫り溝４１を形成する。この状態においては先端部２０は被彫刻物３８の上面に常時接触した状態となるため、刃３３の前方に手指等を被彫刻物３８の固定のために置いたとしても、彫刻刀カバー１６の先端部２０によって保護されることになる。
【００５１】
この彫刻刀カバー１６の先端部２０は、彫刻刀カバー１６が軸４６の周りに回動自在となっているため、刃３３の被彫刻物３８に対する作業角度に関わらず常時被彫刻物３８の上面に接触することになる。また、先の第２の実施の形態によるような弾性力によって彫刻刀カバー１６が被彫刻物３８に接触しているものではないため、弾性力に抗するような力を彫刻刀カバー１６に加えながら彫刻刀３１を使用する必要がない。又、作業の状況に応じて、彫刻刀カバー１６を柄３２に収容して彫刻刀３１を使用することも容易に選択できる。更に、彫刻刀カバー１６は柄３２に対して常時取付けられているため、彫刻刀３１から取り外されて紛失される虞もない。
【００５２】
尚、上記の第３の実施の形態では、彫刻刀カバー１６を軸４６を中心として刃３３の上側に被せるように回動自在としているが、これに代えて、刃３３の下側から刃３３を囲うように彫刻刀カバー１６を回動自在とするように構成しても良い。この場合、刃３３に対して所定以上の上方への移動を阻止するようなストッパー機能を付加すればより安全性が向上する。
【図面の簡単な説明】
【図１】この発明の第１の実施の形態による彫刻刀カバーの外観形状を示した平面図である。
【図２】図１のＩＩ−ＩＩラインから見た図である。
【図３】図１のＩＩＩ−ＩＩＩラインの断面図である。
【図４】図１のＩＶ−ＩＶラインから見た図である。
【図５】この発明の第１の実施の形態による彫刻刀カバーを彫刻刀に装着する前の状態を示した斜視図である。
【図６】この発明の第１の実施の形態による彫刻刀カバーを彫刻刀に装着した状態を示した斜視図である。
【図７】この発明の第１の実施の形態による彫刻刀カバーを装着した場合の彫刻刀の使用状態を示した図である。
【図８】この発明の第２の実施の形態による彫刻刀カバーの外観形状を示した平面図である。
【図９】図８のＩＸ−ＩＸラインから見た図である。
【図１０】この発明の第２の実施の形態による彫刻刀カバーを彫刻刀に装着した状態の外観形状を示した斜視図である。
【図１１】この発明の第２の実施の形態による彫刻刀カバーを装着した場合の彫刻刀の使用状態を示した図である。
【図１２】この発明の第３の実施の形態による彫刻刀の使用状態を示した図である。
【図１３】図１２のＸＩＩＩ−ＸＩＩＩラインから見た図である。
【図１４】一般の彫刻刀の使用状態を示した図である。
【符号の説明】
１６…彫刻刀カバー
１７…胴部
１８…ループ部
１９…根幹部
２０…先端部
２６…開口
３１…彫刻刀
３２…柄
３３…刃
４６…軸
尚、各図中同一符号は同一又は相当部分を示す。
【図１】
0003540719.tif 000002
【図２】
0003540719.tif 000003
【図３】
0003540719.tif 000004
【図４】
0003540719.tif 000005
【図５】
0003540719.tif 000006
【図６】
0003540719.tif 000007
【図７】
0003540719.tif 000008
【図８】
0003540719.tif 000009
【図９】
0003540719.tif 000010
【図１０】
0003540719.tif 000011
【図１１】
0003540719.tif 000012
【図１２】
0003540719.tif 000013
【図１３】
0003540719.tif 000014
【図１４】
0003540719.tif 000015